【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
一対の横方向磁束インダクタアセンブリ間に配置された、ワークピースを誘導加熱するための横方向磁束誘導加熱装置であって、前記一対の横方向磁束インダクタアセンブリのそれぞれは、
導電体の横方向対を構成する一対の可撓性電気ケーブルであって、前記一対の可撓性電気ケーブルのそれぞれが前記ワークピースの対向する横方向縁部を越えて延在する対向する横方向端部を有するものと、
前記一対の可撓性電気ケーブルの前記対向する横方向端部のそれぞれの近くに配置された一対の別個の可動ケーブルジョイナアセンブリであって、前記一対の別個の可動ケーブルジョイナアセンブリは、それぞれ、前記一対の可撓性電気ケーブルが前記一対の可撓性電気ケーブルの隣接する対向横方向端部を共に接合するように配置されるジョイナロールチャネルを有するものと、
前記一対の別個の可動ケーブルジョイナアセンブリの内側にある前記一対の可撓性電気ケーブルそれぞれの前記対向する横方向端部のそれぞれの近くに配置された一対の別個の可動ケーブルセパレータアセンブリであって、前記一対の別個の可動ケーブルセパレータアセンブリのそれぞれは、前記一対の可撓性電気ケーブルが前記一対の可撓性電気ケーブル間の分離間隔を変更するように配置されるセパレータロールチャネルを有するものと
を備える横方向磁束誘導加熱装置。
【請求項２】
ワークピースの横方向及びワークピースの長手方向における前記一対の可撓性電気ケーブル間の分離間隔を変更するように構成された１以上の誘導加熱アクチュエータをさらに備え、前記１以上の誘導加熱アクチュエータは、前記一対の別個の可動ケーブルジョイナアセンブリのそれぞれの横方向移動のためのセパレータアセンブリ横方向アクチュエータ、前記一対の別個の可動ケーブルジョイナアセンブリのそれぞれの長手方向移動のためのセパレータアセンブリ長手方向アクチュエータ、及び前記一対の別個の可動ケーブルジョイナアセンブリの横方向移動のためのジョイナアセンブリアクチュエータよりなる群の一つ以上から選択される、請求項１に記載の横方向磁束誘導加熱装置。
【請求項３】
ワークピース横方向における前記一対の可撓性電気ケーブル間の分離間隔を変更するように構成された１以上の誘導加熱アクチュエータをさらに備え、前記１以上の誘導加熱アクチュエータは、前記一対の個別の可動ケーブルジョイナアセンブリのそれぞれの横方向移動のためのセパレータアセンブリ横方向アクチュエータ、及び前記一対の個別の可動ケーブルジョイナアセンブリのそれぞれの横方向移動のためのジョイナアセンブリアクチュエータよりなる群の一つ以上から選択される、請求項１に記載の横方向磁束誘導加熱装置。
【請求項４】
前記一対の別個の可動ケーブルジョイナアセンブリのそれぞれは、ジョイナロールチャネルを形成するように配置されたジョイナロールのアレイを含み、前記ジョイナロールのアレイは、前記一対の別個の可動ケーブルジョイナアセンブリから前記一対の可撓性電気ケーブルの前記対向する横方向端部の一方の近くにまで前記一対の可撓性電気ケーブルを横方向内側に進入させるための口部領域を備え、前記口部領域の後に、前記一対の可撓性電気ケーブルの前記隣接する対向横方向端部の横方向外側出口のためのスロート領域が続く、請求項１に記載の横方向磁束誘導加熱装置。
【請求項５】
前記ジョイナロールのアレイは、前記一対の可撓性電気ケーブルが前記ジョイナロールのアレイを通して移動するときに１以上のフランジ付きスプールを回転させるためのジョイナ基部に回転可能に取り付けられた１以上のフランジ付きスプールから少なくとも部分的に構成されている、請求項４に記載の横方向磁束誘導加熱装置。
【請求項６】
前記セパレータロールチャネルは、前記セパレータロールチャネルを構成するように配置されたセパレータロールのアレイを備え、前記セパレータロールのアレイは、前記セパレータロールチャネルに配置された一対の可撓性電気ケーブルの一方を、前記一対の可撓性電気ケーブルの他方からワークピースの長手方向に広げて離すように配置される、請求項１に記載の横方向磁束誘導加熱装置。
【請求項７】
前記セパレータロールのアレイは、前記セパレータロールチャネルに配置された前記一対の可撓性電気ケーブルの一方が前記セパレータロールのアレイを通して通過するときに、１以上のフランジ付きスプールの回転のためのセパレータ基部に回転可能に取り付けられた１以上のフランジ付きスプールから少なくとも部分的に構成される、請求項６に記載の横方向磁束誘導加熱装置。
【請求項８】
一対の可撓性電気ケーブルのそれぞれは、複数の相互接続された可撓性電気ケーブルを備え、少なくとも前記一対の別個の可動ケーブルジョイナアセンブリのそれぞれは、複数の相互接続された可撓性電気ケーブルが配置されるマルチレベルケーブルジョイナアセンブリを備える、請求項１に記載の横方向磁束誘導加熱装置。
【請求項９】
前記ワークピースを誘導加熱する方向に磁束強度を増加させるために、前記一対の可撓性ケーブルに対して配置された少なくとも１つの磁気シャントをさらに備える、請求項１に記載の横方向磁束誘導加熱装置。
【請求項１０】
前記一対の別個の可動ケーブルセパレータアセンブリ及び／又は前記一対の別個の可動ケーブルジョイナアセンブリの少なくとも一方を移動させて、誘導加熱される前記ワークピースの横方向の端部から端部までの動きを追跡する１以上の誘導加熱アクチュエータをさらに備える、請求項１に記載の横方向磁束誘導加熱装置。
【請求項１１】
直列、並列又は直列及び並列に電気的に相互接続され、かつ、誘導加熱される前記ワークピースの長手ワークピース方向に沿って連続的に配置された請求項１に記載の横方向磁束誘導加熱装置を２つ以上備える電気誘導加熱システム。
【請求項１２】
前記ワークピースが通過するトンネルをさらに備え、前記トンネルは、前記一対の横方向磁束インダクタアセンブリ間に配置される、請求項１に記載の横方向磁束誘導加熱装置。
【請求項１３】
前記一対の別個の可動ケーブルジョイナアセンブリの一方と、前記一対の可撓性電気ケーブルの対向する横方向端部のそれぞれに配置された前記一対の別個の可動ケーブルセパレータアセンブリの一方とが、それぞれ、前記一対の可撓性電気ケーブルの対向する横方向端部のそれぞれに別個の組み合わせ可動ケーブルセパレータ及びジョイナアセンブリを構成し、前記横方向磁束誘導加熱装置は、
前記個別の組み合わせ可動ケーブルセパレータ及びジョイナアセンブリのそれぞれのための取付板であって、前記ワークピースの横方向縁部に面する垂直フラップを有するものと、
前記垂直フラップにある一対の穴を垂直に貫通して、前記ワークピースの横方向中心に向かって横方向内側に延在する一対の導電性平行管であって、前記一対の導電性平行管は、前記一対の導電性平行管間の垂直性を維持するように長手方向の分離管によって長手方向に共に接続され、前記ワークピースにわたって横方向に延在する前記一対の可撓性電気ケーブルのそれぞれが前記一対の導電性平行管の他方に配置される一対の導電性平行管と
をさらに備える、請求項１に記載の横方向磁束誘導加熱装置。
【請求項１４】
前記ワークピースの対向する横方向縁部から延在する前記一対の導電性平行管のそれぞれの周りに配置された少なくとも１つのトロイダル磁気コアをさらに備える、請求項１３に記載の横方向磁束誘導加熱装置。
【請求項１５】
前記ワークピースを誘導加熱する方向に磁束強度を増加させるために、前記一対の可撓性ケーブルに対して配置された少なくとも１つの磁気シャントをさらに備える、請求項１３に記載の横方向磁束誘導加熱装置。
【請求項１６】
前記一対の可撓性電気ケーブルのそれぞれは、複数の相互接続された可撓性電気ケーブルを含み、少なくとも前記一対の別個の可動ケーブルジョイナアセンブリのそれぞれは、複数の相互接続された可撓性電気ケーブルが配置されるマルチレベルケーブルジョイナアセンブリを備える、請求項１３に記載の横方向磁束誘導加熱装置。
【請求項１７】
前記ワークピースが通過するトンネルをさらに備え、前記トンネルは、前記一対の横方向磁束インダクタアセンブリ間に配置される、請求項１３に記載の横方向磁束誘導加熱装置。
【請求項１８】
直列、並列、又は直列及び並列に電気的に相互接続され、かつ、前記ワークピースの長手ワークピース方向に沿って連続的に配置された、請求項１３に記載の横方向磁束誘導加熱装置を２つ以上備える電気誘導加熱システム。
【請求項１９】
ワークピースの電気誘導加熱方法であって、次の工程：
前記ワークピースを一対の横方向磁束インダクタアセンブリ間に通過させ、ここで、前記一対の横方向磁束インダクタアセンブリのそれぞれは、横方向の一対の連続可撓性ケーブルから構成された横方向インダクタを有し；及び
前記横方向の一対の連続可撓性ケーブルの対向する各横方向端部の近くに配置された一対の別個の可撓性ケーブルセパレータアセンブリと、前記一対の可撓性ケーブルが配置されている前記一対の別個の可撓性ケーブルセパレータアセンブリの外側に配置された一対の別個の可撓性ケーブルジョイナアセンブリとを横方向に選択的に移動させることによって、前記一対の横方向磁束インダクタアセンブリのそれぞれにおける前記横方向インダクタの横方向長さを選択的に変更すること
を含む電気誘導加熱方法。
【請求項２０】
前記横方向の一対の連続可撓性ケーブルの各対向横方向端部の近くかつ前記一対の別個の可撓性ケーブルジョイナアセンブリの内側に配置された一対の可撓性ケーブル長手方向セパレータアセンブリを長手ワークピース方向に選択的に移動させることによって、前記一対の横方向磁束インダクタアセンブリのそれぞれにおける前記横方向インダクタの極ピッチを選択的に変更することをさらに含む、請求項１９に記載の方法。